(57)【要約】【課題】天井レベルを通常より低く設定したり、壁ふかしを行わなくても天井裏の梁に干渉することなく設置可能であり、また安定した取付け状態を実現できるダクトジョイナー及びダクト構造を提供する。【解決手段】天井裏のダクトに接続される屋内側連通筒部（２）と、外壁（１３）に設けた給排気口（１８）に接続されて屋外（１１）に連通する屋外側連通筒部（３）と、それら屋内外の連通筒部（２）（３）同士を連結するとともに、前記外壁（１３）の面方向に沿って拡がる扁平形状とされて外壁（１３）内に設置される垂直胴部（４）とからなり、前記垂直胴部（４）の前記屋内側連通筒部（２）に連結する上側連結部（５）が、前記天井裏の梁（２０）とその下方に位置する天井構成部材（２５）との間の空間を通るように、前記扁平形状を維持した状態で屈曲していることを特徴とするダクトジョイナー（１）を設置する。【選択図】  図１
2005009720.tif 000002
【特許請求の範囲】
【請求項１】
天井裏のダクトに接続される屋内側連通筒部と、外壁に設けた給排気口に接続されて屋外に連通する屋外側連通筒部と、それら屋内外の連通筒部同士を連結するとともに、前記外壁の面方向に沿って拡がる扁平形状とされて外壁内に設置される垂直胴部とからなり、前記垂直胴部の前記屋内側連通筒部に連結する上側連結部が、前記天井裏の梁とその下方に位置する天井構成部材との間の空間を通るように、前記扁平形状を維持した状態で屈曲していることを特徴とするダクトジョイナー。
【請求項２】
前記上側連結部は、前記梁への固定を可能にする固定手段を備えている請求項１記載のダクトジョイナー。
【請求項３】
前記固定手段は、前記上側連結部に突設した係止部材と、この係止部材に係合して前記上側連結部を梁下に支持する支持部材と、この支持部材を前記梁に固定する固定部材とからなる請求項２記載のダクトジョイナー。
【請求項４】
前記梁への固定状態において、前記上側連結部の上面に突設したリブを前記梁の下面に当接させることで、前記垂直胴部の垂直状態を維持するようになっている請求項２又は３記載のダクトジョイナー。
【請求項５】
前記屋内側連通筒部と前記垂直胴部とを一体成型してなる上部ダクトと、前記屋外側連通筒部からなる下部ダクトとを備え、それら上部ダクトと下部ダクトとは互いに着脱可能に連結している請求項１乃至４のいずれかに記載のダクトジョイナー。
【請求項６】
外周の一部又は全部を断熱材で覆うようにした請求項１乃至５のいずれかに記載のダクトジョイナー。
【請求項７】
請求項１乃至６のいずれかに記載のダクトジョイナーの屋内側連通筒部を天井裏のダクトに接続し、屋外側連通筒部を外壁の給排気口に接続するとともに、垂直胴部の上側連結部を、天井裏の梁とその下方に位置する天井構成部材との間に配置したことを特徴とするダクト構造。
【発明の詳細な説明】
【０００１】
【発明の属する技術分野】
この発明は、天井裏のダクトと屋外とを連結するようにして設置されるダクトジョイナー及びダクト構造に関するものである。
【０００２】
【従来の技術】
天井裏に設けられた給気用又は排気用のダクトをそのまま横引きして屋外に導く場合、梁や軒などの構造体を避けるためにダクトの配管レベルを下げる必要があるが、そうすると天井レベルを大幅に低くしなければならない。そこで、図５で示すように、天井裏空間（３０）のダクト（１０）に対して、外壁（１３）の給排気口（１８）を上下方向にずらして設けて、それらダクト（１０）と給排気口（１８）とをダクトジョイナー（６１）を介して連結したダクト構造が提案されている。この種のダクトジョイナーは、天井裏のダクトに接続する円筒状の屋内側連通筒部（６２）と、外壁（１３）の給排気口（１８）に接続する同じく円筒状の屋外側連通筒部（６３）とを、扁平状の垂直胴部（６４）によって連結した構造となっており、例えば特許文献１及び２にも開示されている。
【特許文献１】特許第３２１１０１７号公報
【特許文献２】特許第３２１１０１８号公報
【０００３】
【発明が解決しようとする課題】
しかし、従来のダクトジョイナーでは、天井裏空間（３０）の梁（２０）とその下方に位置する天井構成部材（２５）との間の狭い空間を通すことが困難であり、梁（２０）に干渉しないようにダクトジョイナー（６１）をやや屋内側に避けるようにして設置しなければならず、その分だけ壁ふかし（６５）が必要となっていた。或いは、壁ふかし（６５）を行わなくても済むように、ダクトジョイナー（６１）を梁（２０）の下側に配置することで梁（２０）との干渉を防ぐことも考えられるが、その場合はダクト（１０）との接続位置がやや低くなるため、その分だけ結局天井レベルを低くしなければならない。加えて、従来のダクトジョイナー（６１）は、梁（２０）へ確実に固定できるようになっておらず、不安定な取付け状態となる欠点も有していた。
【０００４】
そこで、この発明は、上記の不具合を解消して、天井レベルを通常より低く設定したり、壁ふかしを行わなくても天井裏の梁に干渉することなく設置可能であり、また安定した取付け状態を実現できるダクトジョイナー及びダクト構造を提供する。
【０００５】
【課題を解決するための手段】
上記の課題を解決するため、この発明のダクトジョイナーは、天井裏のダクトに接続される屋内側連通筒部と、外壁に設けた給排気口に接続されて屋外に連通する屋外側連通筒部と、それら屋内外の連通筒部同士を連結するとともに、前記外壁の面方向に沿って拡がる扁平形状とされて外壁内に設置される垂直胴部とからなり、前記垂直胴部の前記屋内側連通筒部に連結する上側連結部が、前記天井裏の梁とその下方に位置する天井構成部材との間の空間を通るように、前記扁平形状を維持した状態で屈曲していることを特徴とする。
【０００６】
また、前記上側連結部は、前記梁への固定を可能にする固定手段を備えている。具体的に、前記固定手段は、前記上側連結部に突設した係止部材と、この係止部材に係合して前記上側連結部を梁下に支持する支持部材と、この支持部材を前記梁に固定する固定部材とからなる。そして、前記梁への固定状態において、前記上側連結部の上面に突設したリブを前記梁の下面に当接させることで、前記垂直胴部の垂直状態を維持するようになっている。
【０００７】
さらに、この発明のダクトジョイナーは、前記屋内側連通筒部と前記垂直胴部とを一体成型してなる上部ダクトと、前記屋外側連通筒部からなる下部ダクトとを備え、それら上部ダクトと下部ダクトとは互いに着脱可能に連結している。またさらに、例えば給気用として用いる場合は、外周の一部又は全部を断熱材で覆うようにしている。
【０００８】
加えて、この発明のダクト構造は、上記のダクトジョイナーの屋内側連通筒部を天井裏のダクトに接続し、屋外側連通筒部を外壁の給排気口に接続するとともに、垂直胴部の上側連結部を、天井裏の梁とその下方に位置する天井構成部材との間に配置したことを特徴とする。
【０００９】
【発明の実施の形態】
以下、この発明の実施形態を図面に基づいて詳細に説明する。図１は、この発明の一実施形態に係るダクト構造を備えた鉄骨造住宅の天井裏を示している。図において、（２０）は、例えばＨ形鋼からなる外周梁を示している。この外周梁（２０）には、これに直角に設けられた床梁（５１）が連結プレート（５２）（５２）を介して連結されている。これら梁（２０）（５１）上には、例えばＡＬＣからなる床版（３７）が設置され、その床版（３７）の上面には、床材（３８）が設置されている。
【００１０】
また、外周梁（２０）には、上下階の外壁（１３）（１３）が固定されている。これら外壁（１３）（１３）は、方形枠状の下地フレーム（１５）（３５）に外壁材（１４）（３４）を張り合わせてなる外壁パネル（２４）（５４）と、この外壁パネル（２４）（５４）に平行に配された内装材（１６）（３６）とからなっている。そして、上部階の下地フレーム（１５）の下端部が外周梁（２０）の上フランジ（２１）に固定され、下部階の下地フレーム（１５）の上端部が、外周梁（２０）の下フランジ（２２）に固定されている。
【００１１】
なお、（１７）は、下部階の外壁（１３）の内部に充填された断熱材である。また、下部階の外壁材（１４）には、断面略円形の排気口（１８）が屋内外方向に貫通して設けられている。さらに、この外壁材（１４）の屋外側には、排気口（１８）に対応するようにして排気口取付け部材（１２）が設けられている。
【００１２】
（２５）は、天井構成部材を示しており、床梁（５１）に取り付けられた野縁（２７）（２７）…と、この野縁（２７）（２７）…の下側に取り付けられた天井材（２６）とからなる。なお、野縁（２７）は、外周梁（２０）の長手方向に沿って配されている。
【００１３】
床版（３７）と天井構成部材（２５）との間の天井裏空間（３０）には、排気用のダクト（１０）が設けられている。この排気用ダクト（１０）は、床梁（５１）に取り付けられた水平ブレース（２８）との干渉を避けるために、その屋外側の先端付近が持ち上げられたような状態となっている。なお、排気用ダクト（１０）の外周には断熱処理が施されている。
【００１４】
（１）は、天井裏空間（３０）の排気用ダクト（１０）と、外壁（１３）の排気口（１８）とを連結するダクトジョイナーである。このダクトジョイナー（１）は、天井裏のダクト（１０）に接続される屋内側連通筒部（２）と、外壁（１３）の排気口（１８）に接続されて屋外に連通する屋外側連通筒部（３）と、これら屋内側連通筒部（２）と屋外側連通筒部（３）とを連結する垂直胴部（４）とからなっている。
【００１５】
垂直胴部（４）は、外壁（１３）の面方向に沿って拡がる扁平形状とされて外壁（１３）内に設置されている。また、垂直胴部（４）は、例えば外壁（１３）の壁面方向の横幅が２５０ｍｍ、壁厚方向の横幅が３５ｍｍの断面略ロ字形に形成されていて、その通気路の断面積は、排気用ダクト（１０）の通気路の断面積と同等以上となっている。
【００１６】
そして、垂直胴部（４）は、その上端において屋内側連通筒部（２）に連結する上側連結部（５）を備えている。上側連結部（５）は、天井裏の外周梁（２０）とその下方に位置する天井構成部材（２５）との間の空間を通るように、前記扁平形状を維持した状態で屈曲している。
【００１７】
また、上側連結部（５）の上面には、補強と位置決めを兼ねる一対のリブ（４５）（４５）が突設されている。これらリブ（４５）（４５）は、外壁（１３）の壁厚方向に沿って互いに平行に設けられている。リブ（４５）（４５）の上端は、同一平面上に揃えられており、屋外側の端部が斜めに切り欠かれている。
【００１８】
さらに、上側連結部（５）は、外周梁（２０）への固定手段（６）を備えている。図３に示すように、固定手段（６）は、上側連結部（５）の両側面に突設した一対の係止部材（７）（７）と、これら係止部材（７）（７）に係合して上側連結部（５）を外周梁（２０）下に支持する支持部材（８）（８）と、この支持部材（８）（８）を外周梁（２０）に固定する固定部材（９）（９）とからなっている。
【００１９】
係止部材（７）は、上側連結部（５）の側面より略水平方向に突出するプレート状に形成されている。支持部材（８）は、例えば略コ字状に形成されており、上下の水平片（８ａ）（８ｂ）と、それら水平片（８ａ）（８ｂ）の一端同士を連結する垂直片（８ｃ）とからなっている。上側の水平片（８ａ）は、その略中央部分にネジ孔が形成されている。固定部材（９）は、例えば蝶ネジからなっており、支持部材（８）の上側水平片（８ａ）のネジ孔に対してねじ込み可能となっている。
【００２０】
屋内側連通筒部（２）は、垂直胴部（４）から遠ざかるに連れて天井構成部材（２５）との間隔が大きくなるように立ち上げられている。具体的には、屋内側連通筒部（２）の下面が、水平面に対して約２５°の角度で立ち上がり、屋内側連通筒部（２）の上面が、下面よりも急角度で立ち上がっていて、垂直胴部（４）から遠ざかるに連れて高さが高くなっている。また、屋内側連通筒部（２）の横幅は、垂直胴部（４）から遠ざかるに連れて狭くなっている。
【００２１】
この屋内側連通筒部（２）では、垂直胴部（４）側の端部が扁平した断面略ロ字形となっていて、垂直胴部（４）から遠ざかるに連れて徐々に形状変更され、垂直胴部（４）とは反対側の端部では断面略円形になっており、その通気路の全長に亘って、排気用ダクト（１０）の通気路の断面積と同等以上の断面積を有している。そして、垂直胴部（４）とは反対側の端部には、排気用ダクト（１０）に接続される接続部（４０）が形成されている。
【００２２】
このような屋内側連通筒部（２）を排気用ダクト（１０）と垂直胴部（４）との間に介在させることで、断面略円形の排気ダクト（１０）と断面略ロ字形の垂直胴部（４）との間で、排気がスムーズに流れるようになっている。
【００２３】
屋外側連通筒部（３）は、垂直胴部（４）側の端部において垂直扁平部（４３）を備えている。垂直扁平部（４３）は、外壁（１３）の面方向に沿って拡がる扁平状の断面略ロ字形となっている。また、垂直扁平部（４３）の上端部は、段状に拡開するようにして形成されており、垂直胴部（４）の下端部が内嵌されるようになっている。垂直扁平部（４３）の下端部は、円弧状に形成されている。
【００２４】
この垂直扁平部（４３）の外壁材（１４）と対向する面から、壁厚方向に向けて略ラッパ状の延出部（４４）が延出しており、この延出部（４４）の先端には、外壁材（１４）の排気口（１８）に内嵌する円筒状の嵌合部（４２）が形成されている。嵌合部（４２）は、屋外側に向かうに連れて僅かに低くなるような水勾配を有しており、排水性が確保されるようになっている。
【００２５】
なお、嵌合部（４２）には、排気口取付け部材（１２）の円筒部（１２ａ）が屋外より内嵌されるようになっている。また、設置時において、嵌合部（４２）の先端は、外壁材（１４）の外表面よりも外側へ突出しないような適当な長さとなるようにカットされる。
【００２６】
この屋外側連通筒部（３）では、垂直胴部（４）側の端部が扁平した断面略ロ字形となっていて、垂直胴部（４）から遠ざかるに連れて徐々に形状変更され、垂直胴部（４）とは反対側の端部では断面略円形になっており、その通気路の全長に亘って、排気用ダクト（１０）の通気路の断面積と同等以上の断面積を有している。
【００２７】
このような屋外側連通筒部（３）を垂直胴部（４）と外壁材（１４）の排気口（１８）との間に介在させることで、断面略ロ字形の垂直胴部（４）と断面略円形の排気口（１８）との間で、排気がスムーズに流れるようになっている。
【００２８】
このダクトジョイナー（１）は、屋内側連通筒部（２）と垂直胴部（４）とが一体成型されて上部ダクト（１ａ）を構成し、屋外側連通筒部（３）が下部ダクト（１ｂ）を構成しており、これら上部ダクト（１ａ）と下部ダクト（１ｂ）とが着脱可能に嵌合されている。従って、上部ダクト（１ａ）の下端部すなわち垂直胴部（４）の下端部をカットして長さ調整することができ、住宅の仕様が異なる場合や、寸法誤差が生じている場合でも、柔軟に対応することができる。なお、垂直胴部（４）の外周面に目盛りを設けることで、より正確な位置で切断できるようになる。また、ダクトジョイナー（１）の材質は例えば樹脂製であり、厚さが例えば２．５ｍｍとなっているため、切断加工が容易となっている。
【００２９】
さらに、図２に示すように、ダクトジョイナー（１）は、上部ダクト（１ａ）と下部ダクト（１ｂ）を連結した状態において、その内周面が緩やかに湾曲した角部のない形状となっているので、その内部すなわち通気路における排気の通過に際しての圧力損失を少なくして、排気効率を損なわずに済むようになっている。
【００３０】
次に、ダクトジョイナー（１）の外周梁（２０）への施工について説明する。先ず、図３に示すように、外周梁（２０）の下部フランジ（２２）の下側に、ダクトジョイナー（１）の上側連結部（５）を配置する。そして、外周梁（２０）の下部フランジ（２２）と上側連結部（５）の係止部材（７）とを、支持部材（８）の上下の水平片（８ａ）（８ｂ）によって挟んだ状態で、上側水平片（８ａ）に螺合した固定部材（９）を締め付けて、上側連結部（５）を下部フランジ（２２）に固定している。
【００３１】
この固定状態において、固定部材（９）の先端部が下部フランジ（２２）の上面に当接し、固定部材（９）の締め付けによって上方に持ち上げられた支持部材（８）の下側水平片（８ｂ）が係止部材（７）の下面に押し付けられ、さらに上側連結部（５）のリブ（４５）（４５）の上端部が下部フランジ（２２）の下面に押し付けられ、これによって垂直胴部（４）が垂直状態を維持している。
【００３２】
また、このダクトジョイナー（１）は、上記のような鉄骨造住宅の天井裏だけでなく、図４に示すように、木造住宅の天井裏にも施工可能となっている。この場合、上側連結部（５）は、木製の外周梁（５０）に対して固定手段（６）により固定可能となっている。支持部材（５８）は、概略断面Ｌ字状とされ、垂直片（５８ａ）と、この垂直片（５８ａ）の下端より屋外側へ略水平方向に延出する水平片（５８ｂ）とから構成される。そして、固定の際には、垂直片（５８ａ）を外周梁（５０）の屋内側の側面に当接させ、且つ、水平片（５８ｂ）上面を係止部材（７）下面に当接させた状態で、リブ（４５）が外周梁（５０）の下面に当接するように上側連結部（５）を持ち上げる。その状態において、例えばネジからなる固定部材（５９）によって、支持部材（５８）の垂直片（５８ａ）を外周梁（５０）に留め付けることで、上側連結部（５）が外周梁（５０）に固定される。
【００３３】
なお、上記実施形態においては、ダクトジョイナー（１）を排気用ダクト（１０）に接続した例を示したが、給気用ダクトに接続するようにしても良い。この場合、結露等の対策のために、外周の一部又は全部が断熱材によって覆われる。断熱材は、例えば断熱シートからなり、ダクトジョイナー（１）外周面の必要部分に対して、厚さが例えば１０ｍｍとなるように巻き付けられる。
【００３４】
また、この場合、給気用ダクトの外周に断熱処理が施され、外壁材（１４）には、排気口（１８）の代わりに給気口が、排気口取付け部材（１２）の代わりに給気口取付け部材が、それぞれ設けられることになる。
【００３５】
この発明は、上記実施形態に限定されるものではなく、この発明の範囲内で上記実施形態に多くの修正及び変更を加え得ることは勿論である。
【００３６】
【発明の効果】
以上の説明から明らかなように、この発明では、屋内側連通筒部と垂直胴部とを連結する上側連結部が、扁平形状を維持した状態で屈曲しており、天井裏の梁と、その下方に位置する天井構成部材との間の狭い空間を通すことができるようになっている。このため、梁との干渉を防ぐために、ダクトジョイナーを梁より屋内側又は下側に避けるようにして配置する必要がない。すなわち、天井のレベルを通常より低く設定したり、壁ふかしを行ったりしなくても、梁に干渉しないようにダクトジョイナーを設置することができる。
【００３７】
また、上側連結部は、上記のように梁と天井構成部材との間の狭い空間を扁平形状で通されているため、その内部の通気路において、必要な通気面積を確保しやすくなっており、通気をスムーズに流すことができる。
【００３８】
さらに、ダクトジョイナーの上側連結部が梁に対して固定可能となっているので、ダクトジョイナーをより安定した状態で取り付けることができる。
【００３９】
またさらに、上部ダクトと下部ダクトとが互いに嵌合されて連結しているため、嵌合する前にいずれか一方を適当な長さとなるようにカットすることで、ダクトジョイナーの長さを設置場所に応じて調節することができる。
【００４０】
またさらに、ダクトジョイナーは、外周の一部又は全部が断熱材によって覆われているため、給気用として用いることも可能となっている。
【００４１】
近年、建築基準法の改正による換気設備の義務化に伴い、台所や浴室、トイレだけでなく、居室の天井にも換気扇を設置する機会が増えており、今後ますます室内空間に影響を与えない換気経路の確保が重要となるが、この発明はこのようなケースに有効である。
【図面の簡単な説明】
【図１】この発明の一実施形態に係るダクト構造を示す断面図である。
【図２】ダクトジョイナーを示す断面図である。
【図３】ダクトジョイナー及び梁への固定手段を示す斜視図である。
【図４】ダクト構造を示す断面図である。
【図５】従来のダクト構造を示す断面図である。
【符号の説明】
（１）  ダクトジョイナー
（１ａ）  上部ダクト
（１ｂ）  下部ダクト
（２）  屋内側連通筒部
（３）  屋外側連通筒部
（４）  垂直胴部
（５）  上側連結部
（６）  固定手段
（７）  係止部材
（８）（５８）  支持部材
（９）（５９）  固定部材
（１０）  天井裏のダクト
（１１）  屋外
（１３）  外壁
（１８）  排気口
（２０）（５０）  外周梁
（２５）  天井構成部材
（３０）  天井裏空間
（４５）  リブ
【図１】
2005009720.tif 000003
【図２】
2005009720.tif 000004
【図３】
2005009720.tif 000005
【図４】
2005009720.tif 000006
【図５】
2005009720.tif 000007